(57)【要約】【課題】  環境において組立てることができる道路構造物用の衝撃緩衝体であって、積み重ねて設置された緩衝用の砂にかかる積重ね荷重を軽減することができるようにすること。【解決手段】  中空構造のプラスチックダンボール用素材を打ち抜いて上面が開放された箱状をなすように組み立てた容器本体と、その容器本体中に充填された緩衝用の砂と、反射シートを貼りつけた容器本体を包被する外装カバーとからなり、前記容器本体の側壁を、頂部に平坦な縁部を有する二重中折り構造としてその内外側壁間に空間を形成せしめ、二重中折り構造の内外側壁と頂部の平坦な縁部とにより積み荷重を支承する。【選択図】  図２
2005171562.tif 000002
【特許請求の範囲】
【請求項１】
中空構造のプラスチックダンボール用素材を打ち抜いて上面が開放された箱状をなすように組み立てた容器本体と、その容器本体中に充填された緩衝用の砂と、反射シートを貼りつけた容器本体を包被する外装カバーとからなり、前記容器本体の周囲の側壁を、頂部に平坦な縁部を有する二重中折り構造としてその内外側壁間に空間を形成せしめ、その二重中折り構造の内外側壁と頂部の平坦な縁部とにより積重ね荷重を支承せしめるようにしたことを特徴とする道路構造物用衝撃緩衝体。
【請求項２】
上面が開放された箱状をなす容器本体の平面形状を正六角形または正八角形としたことを特徴とする請求項１に記載の道路構造物用衝撃緩衝体。
【発明の詳細な説明】
【技術分野】
【０００１】
本発明は、車道における分流ノーズ基点、アイランドの正面、その他の道路構造物の前面に設置する衝撃緩衝体に関するものである。
【背景技術】
【０００２】
前記の如き道路構造物の衝撃緩衝装置として、下記特許文献に示すものが知られている。
【特許文献１】特公昭５４−３８８１２号公報
【特許文献２】特公昭６１−１７０７号公報
【特許文献３】特許第０２６６７７０号公報
【０００３】
これらの特許文献に記載のものは、合成樹脂シートにより形成した長方形の容器の中に砂を充填して単位緩衝体を構成し、その単位緩衝体を任意所要数多段に設置して所望の衝撃緩衝装置を構成するようにしたもので、各構成部品を組立てる以前の状態で現場に搬送することにより搬送性を良くすることができ、かつ、現場の構造物に合せた衝撃緩衝装置を設置することができる利点があるが、以下の点でなお改良の余地が残されている。
（１）組み立て作業性。容器本体が袋状になっていて、砂の注入口が手狭なため容器本体中に砂を充填しにくい。
（２）充填する砂の選択が必要。積重ね時、単位緩衝体中の砂の上に積み重ねた単位緩衝体の荷重がかかるため、荷重によって硬化し易い川砂が使用できない。
（３）軽微な車輌接触に弱い。こすった程度の軽微な車輌接触でも破壊して砂が散乱することがある。
【発明の開示】
【発明が解決しようとする課題】
【０００４】
本発明は、搬送性が良くて現場の構造物に合せた衝撃緩衝装置を設置することができる利点をもち乍ら、前記した従来技術の問題点を改善することができる道路構造物用衝撃緩衝体を提供することを目的とする。
【課題を解決するための手段】
【０００５】
本発明は、前記の如き目的を達成するため、中空構造のプラスチックダンボール用素材を打ち抜いて上面が開放された箱状をなすように組み立てた容器本体と、その容器本体中に充填された緩衝用の砂と、反射シートを貼りつけた前記容器本体を包被する外装カバーとからなり、前記容器本体の周囲の側壁を、頂部に平坦な縁部を有する二重中折り構造としてその内外側壁間に空間を形成せしめ、その二重中折り構造の内外側壁と頂部の平坦な縁部とにより積重ね荷重を支承せしめるようにしたことを特徴とする。
【０００６】
また、本発明は、上面が開放された箱状をなす容器本体の平面形状を正六角形または正八角形となしたことを特徴とする。
【発明の効果】
【０００７】
本発明の衝撃緩衝体は、前記の如く、上面が開放された箱状の容器本体中に砂を充填するようにしたので、手元が広くなって砂の充填作業性を向上させることができる。
【０００８】
また、本発明は、容器本体を中空構造のプラスチックダンボール素材を用いて構成すると共に、その容器本体の周囲側壁を、頂部に平坦な縁部を有する二重中折構造としたので、これを所要段数積重ねて緩衝装置を構成したときの積重ね荷重を二重中折り構造の内外側壁と縁部とにより支承して容器本体中に充填した砂にかかる荷重を軽減し、このため、砂の緩衝機能を長く維持すると共に、緩衝材である砂の種類を限定されることがない。
【０００９】
さらに、本発明においては、容器本体の周囲側壁を内外二重壁としたので、軽微な車輌接触の場合に内壁まで破壊されることがなくなって砂の散乱を防止することができる。
【発明を実施するための最良の形態】
【００１０】
以下、添付図面について本発明の実施の一例を説明する。
図１は、本発明により構成された衝撃緩衝体の一例を示すもので、（Ａ）は正面図、（Ｂ）は一部を破断した（Ａ）の平面図、（Ｃ）は（Ａ）の底面図、（Ｄ）は（Ａ）の左側面図、（Ｅ）は（Ａ）の右側面図である。
【００１１】
これらの図に示すように、本発明の衝撃緩衝体は、中空構造のプラスチックダンボール用素材を用いて、上面が開放された箱状をなすと共に、その周壁を頂部に平坦な縁部をもつ二重中折り構造を有するように組み立てた容器本体１と、その容器本体中に防水シート３により包まれた状態で充填された砂２と、反射シート４を貼りつけた前記容器本体１を包被する外装カバー５とにより構成されている。
【００１２】
前記プラスチックダンボール用素材は、紙製のダンボールと同様の中空構造をもつポリプロピレン製のもので、厚み２〜８ｍｍ、好ましくは４ｍｍ（７００ｇ／ｍ２）を使用し、これを打抜くと共に折目をつけて前記容器本体の組立て部材を構成する。図２はその一例を示すもので、折目１１を介して左右に連続する４枚の外側壁構成部材１２´と、その外側壁構成部材の上方に折目１３と１４を介して形成した縁部構成部材１５´と、その縁部構成部材の折目１４より上方にのびる各独立した４枚の内側壁構成部材１６´と、前記外側壁構成部材１２´の下端から折目１７を介して下方にのびる各独立した４枚の組み底構成部材１８´とから構成されている。
【００１３】
なお、前記外側壁構成部材１２´の左端には、折目１１から各外側壁構成部材を直角に折曲げて長方形をなすように組立てたとき、左端に位置する外側壁構成部材と右端に位置する外側壁構成部材とをホチキス針などで固定するための重ね先１２１が形成されている。また、前記内側壁構成部材１６´の隣接する各端部には、容器本体組立時に互いに係合する突起１６１と差込溝１６２とが形成されている。また、前記内側壁構成部材１６´の上端縁（容器本体組立時の下端縁）には、容器本体組立時に外壁側に向って折曲げられる関係保持片１６３が形成されている。
【００１４】
本発明による容器本体組立て部材は、前記のように構成されているので、外側壁構成部材１２´を折目１１から直角に折り曲げて長方形に組み立て、重ね片１２１を右端の外側壁構成部材と重ね合せてホチキス針などにより固定して容器本体の外側壁１２を構成し、次いで、組み底構成部材１８´を所定の順序および方法に従って折目１７から折り曲げて組み底１８を構成すると共に、縁部構成部材１５´および内側壁構成部材１６´を折目１３および１４から内方に折り曲げて、図３および図４に示すように、外側壁１２と内側壁１６との間に空間６が形成され、かつその頂部に外側壁１２と内側壁１６とによって支持された縁部１５をもつ箱状の容器本体１を構成することができる。
【００１５】
なお、前記の組み底は、ＪＩＳＺ１５０７−１９８９、コード番号０２１５、０２１６に記載されている公知のものである。
【００１６】
図５は、前記容器本体１を包被する外装カバーを示すもので、（Ａ）は正面図、（Ｂ）は（Ａ）の平面図、（Ｃ）は（Ａ）の左側面図、（Ｄ）は（Ａ）の右側面図である。これらの図に示すように、外装カバーは、容器本体１の４つ側面をとり囲む形状，寸法を有するカバー本体５１を基布入りの樹脂シート、例えば、糸がナイロン、樹脂がＥＶＡ又は塩化ビニル製、厚みが０．３〜３ｍｍ好ましくは０．３５ｍｍのシートにより構成し、その表面の一部（正面となる部分）にカバー本体の色が黒色であれば黄色などの視認性が良好なカプセルレンズタイプの反射シート４を貼着し、そのカバー本体の底面側にはこの外装カバーにより覆われた容器本体の組み底を支える一対の底面テープ５２，５３を設けると共に、上面側には容器本体の上面を覆う一対の上面シート５４，５５が設けられている。すなわち、この実施例においては、カバー本体の底面側の互いに対向する長手方向側面にカバー本体と同じ材質で幅３０〜１００ｍｍ、好ましくは５０ｍｍの底面テープ５２，５３をそれぞれ２枚づつ縫着すると共に、その何れか一方に両面接着テープ５６を接着し、また、上面側は、カバー本体の互いに対向する長手方向から延長された形で一対の上面シート５４，５５を設け、その上面シート５４、５５の端縁部に幅５０〜１００ｍｍ好ましくは７５ｍｍで上面シートの全幅に亘る長さの両面接着テープ５７が接着されている。なお、５８は積み重ねた単位緩衝体同士を固定するためのロープ通しである。
【００１７】
なお、図示を省略したが、本発明に使用される砂の充填用の防水シートは、厚さ０．０３〜１．０ｍｍ、好ましくは０．０５ｍｍのポリエチレン袋であって、容器本体より大きいサイズのものを使用する。また、使用する砂は、好ましくは硅砂４号であるが、これに限定されるものではない。
【００１８】
本発明の衝撃緩衝体は、前記の如き、中空構造のプラスチックダンボール素材を打ち抜いて得られた図２に示す容器本体組立て部材と、防水シートにより包まれた砂２と、図５に示す外装カバー５とから構成され、先づ、図３および図２に示すように、外側壁１２と内側壁１６および縁部１５により取り囲まれた上面が開放された容器本体１を組立て、その容器本体の外周をとり囲むように外装カバー５を嵌め合せ、次いで底面テープ５２と５３とを引張りながら容器本体１の組み底１８上に当てて双方のテープを両面接着テープ５６で装着することにより底面テープ５２と５３を結合し、次いで容器本体の上面を上に向けて上面シート５４，５５を開き、容器本体１中に防水シートにより包まれた砂２を充填し、上面シート５４，５５を閉じて組立てを完了する。
【００１９】
その場合、本発明においては、容器本体の上面が開放されているので、砂の充填作業を能率良く行なうことができ、かつ、容器本体の周囲側壁が頂部に平坦な縁部を有する二重中折り構造となっているので、これを所要段数積重ねて緩衝装置を構成したときの積重ね荷重を二重中折り構造の内外側壁と縁部とにより支承して容器本体中に充填した砂にかかる荷重を軽減し、このため、砂の緩衝性能を長く維持すると共に、砂の種数を限定されることがないようにすることができる。
【００２０】
さらに、本発明においては、容器本体の周囲側壁を内外二重壁として両者の間に空間を形成させたので、軽微な車輌接触の場合にエアークッション効果により容器本体の損傷を防ぐと共に外壁が損傷しても内壁により砂の散乱を防ぐことができる。
【００２１】
図６は本発明の第２の実施例を示すもので、（Ａ）は平面図、（Ｂ）は（Ａ）のＡ−Ａ´断面図、（Ｃ）は平面図である。
【００２２】
この実施例は、中空構造のプラスチックダンボールに素材を打ち抜いて得られた容器本体構成部材を用いて頂部に平坦な縁部を有する二重中折り構造の周囲側壁を形成した容器本体１を組み立て、その容器本体中に防水シートにより包まれた砂２を充填すると共に外装カバー５により包被した構成は図１ないし図５に示す第１の実施例と同一であるが、容器本体の形状を平面から見て正六角形にした点において相違する。
【００２３】
この実施例は、上記の構成よりなるので、図１ないし図５に示す第１の実施例と同様の作用効果を奏じ得ることは勿論であるが、さらに、車線分離帯などの先端部設置用として有効である。すなわち、図７はこの実施例の衝撃緩衝体を車線分離帯の前面に設置した状態を示す平面図、図８は同正面図であって、車輌がＺ方向から衝突すると、中央部の衝撃緩衝体ａが破損、変形してこれに隣接するｂ，ｃに衝撃を伝達させ、同様にしてｄ，ｅに衝撃を伝達させながら衝撃を吸収する。
【００２４】
図９は本発明の第３の実施例を示すもので、（Ａ）は平面図、（Ｂ）はその正面図である。
【００２５】
この実施例は、図示を省略したが、図１ないし図５に示す実施例と同一の構造よりなるものであるが、容器本体の形状を平面からみて正八角形にしたものである。
【００２６】
この実施例は、車輌の進入禁止ゾーン設置用に適している。すなわち、図１０はこの実施例の衝撃緩衝体を車輌進入禁止ゾーンに設置した例を示す平面図、図１１はその正面図であって、六角形のものと同様にＺ方向からの車輌衝突時車輌が非接触の緩衝体にも衝撃を伝達することにより大きな衝撃緩衝性があり、また、緩衝体に斜めのＹ方向から車輌が衝突しても同様に大きな衝撃吸収効果を発揮することができる。
【図面の簡単な説明】
【００２７】
【図１】図１は本発明により構成された衝撃緩衝体の第１の実施例を示すもので、（Ａ）は正面図、（Ｂ）は一部を破断した（Ａ）の正面図、（Ｃ）は（Ａ）の底面図、（Ｄ）は（Ａ）の左側面図、（Ｅ）は（Ａ）の右側面図である。
【図２】中空構造のプラスチックダンボール用素材から打ち抜いて構成した容器本体組立部材の平面図である。
【図３】組み立てられた容器本体の斜視図である。
【図４】図３のＡ−Ａ´、Ｂ−Ｂ´断面図である。
【図５】外装カバーを示すもので、（Ａ）は正面図、（Ｂ）は（Ａ）の平面図、（Ｃ）は（Ａ）の左側面図、（Ｄ）は（Ａ）の右側面図である。
【図６】本発明の第２の実施例を示すもので、（Ａ）は平面図、（Ｂ）は（Ａ）のＡ−Ａ´断面図、（Ｃ）は正面図である。
【図７】図６に示す実施例の設置例を示す平面図である。
【図８】図７に示す設置例の正面図である。
【図９】本発明の第３の実施例を示すもので、（Ａ）は平面図、（Ｂ）は正面図である。
【図１０】図９に示す実施例の設置例を示す平面図である。
【図１１】図１０に示す設置例の正面図である。
【符号の説明】
【００２８】
１・・・容器本体、１１，１３，１４，１７・・・折目、１２´・・・外側壁構成部材、１２・・・外側壁、１５´・・・縁部構成部材、１５・・・縁部、１６´・・・内側壁構成部材、１６・・・内側壁、１８´・・・組み底構成部材、１８・・・組み底、２・・・砂、３・・・防水シート、４・・・反射シート、５・・・外壁カバー、５１・・・カバー本体、５２、５３・・・底面テープ、５４，５５・・・上面シート、５６，５７・・・両面接着テープ。
【図１】
2005171562.tif 000003
【図２】
2005171562.tif 000004
【図３】
2005171562.tif 000005
【図４】
2005171562.tif 000006
【図５】
2005171562.tif 000007
【図６】
2005171562.tif 000008
【図７】
2005171562.tif 000009
【図８】
2005171562.tif 000010
【図９】
2005171562.tif 000011
【図１０】
2005171562.tif 000012
【図１１】
2005171562.tif 000013